(57)【要約】【課題】軸受やピボット軸又はオートクローザのボット軸を受ける軸受等の取付金具並びにそれを固着するねじなどが外部に露見されない門扉を提供する。【解決手段】門扉の上横框の上端部及び下横框の下端部に、それぞれ長手方向一端部にピボット軸貫通用の孔を設けたカバー材を取付け、カバー材を縦框の上下端部まで延長し、その縦框の門扉幅方向先端側のあり溝に塞ぎ材を嵌合するとともに、キャップをその塞ぎ材に結合して、縦框の上下端部に取付けられた取付金具、その取付金具に取付けられた、門柱のピボット軸を受ける軸受部材及び門扉に設けられたピボット軸を支持する軸受部材を隠蔽した。【選択図】  図３
2008184834.tif 000002
【特許請求の範囲】
【請求項１】
門扉の上横框の上端部及び下横框の下端部にそれぞれカバー材を取り付け、それらのカバー材を左右両縦框の門扉幅方向先端まで延長させて、前記上横框の上端面、下横框の下端面及び前記縦框の上下端面を被覆したことを特徴とする門扉。
【請求項２】
カバー材は、これを横断面形状ほぼＵ字形に形成するとともに、両側の壁の内面に係止突条を形成し、その係止突条を門扉の上横框の下端面と下横框の下端面にそれぞれ設けてある係止突条と相互に係止させて、前記門扉の上、下端面に取付けられていることを特徴とする請求項１に記載の門扉。
【請求項３】
門扉の吊元側の縦框には、門扉幅方向先端の壁を底部とするあり溝が形成され、前記あり溝の上下端部に挿入されたキャップにより、前記カバー材の長手方向端面を遮蔽していることを特徴とする請求項１又は２に記載の門扉。
【請求項４】
門扉の戸先側の縦框には、戸当り材が取付けられ、その縦框及び戸当り材の上下端面及びカバー材の長手方向端面が、前記縦框の上下端部に装着されたキャップにより被覆されていることを特徴とする請求項２又は３に記載の門扉。
【発明の詳細な説明】
【技術分野】
【０００１】
本発明は、金属製中空形材で構成される門扉に関する。
【背景技術】
【０００２】
門柱に門扉を吊持するために上下一対のピボットヒンジを用いる場合は、上側のピボットヒンジは、門柱の上部に取り付けられるピボット軸付きアームと門扉の幅方向一端の上端部に設けられた軸受とからなり、下側のピボットヒンジは、門柱の下部に取り付けられる軸受付きアームと、門扉の幅方向一端の下端部に下方に突出するように設けられたピボット軸とからなっている。
【０００３】
そして、門扉が金属製である場合は、門扉側の軸受とピボット軸は縦框に設けられるが、その縦框は中空部を有する形材で作られているので、縦框に軸受とピボット軸を十分な強度をもって設けるには、機械的強度の大きい取付金具を縦框の中空部を塞ぐように縦框の上下端部に固着し、上側の取付金具には軸受を取り付け、下側の取付金具にはピボット軸を門扉の下面から下方に突出させた状態で取り付けている。
【特許文献１】特になし
【発明の開示】
【発明が解決しようとする課題】
【０００４】
従って、従来は、門扉の上、下面に取付金具が露見され、門扉の下面からは下方に突出するピボット軸が露見されるため、門扉の外観が損なわれる問題があった。門扉にオートクローザを取り付ける場合は、その取付強度を確保するために、通常の取付金具よりも厚手の軸受付き取付金具が用いられるので、取付金具が一層外部に露見され易い。
【０００５】
門扉を備えた門に求められる意匠性が高度になればなるほど、外観体裁に優れた門扉が求められる。そこで、従来、上記取付金具、軸受、ピボット軸やオートクローザの軸受付き取付金具等が外部に露見されないように、門扉の少なくとも上端面を被覆するカバー材を設け、その長手方向両端部を、縦框の上端部に装着されているキャップに当接することが提案されている。
しかし、従来の縦框の上端部に装着されるキャップは、その縦框の上端面の全部を被覆するものであるから、面積が大きく、その製造に多くの材料と大きい金型が必要であった。従って、製造コストが高くつくばかりでなく、貯蔵コストが高くつく。さらに、キャップが縦框の上端面と同じ寸法を有するので、カバー材は横框の長さと等しい長さを有することとなる。そのため、従来の門扉は一日永年の旧態依然とした外観体裁を有していて、美観の変化に乏しいものであった。
【０００６】
本発明は、上記の点に鑑みてなされたものであり、その課題は、門扉の周囲の構造を改善することにより、斬新な美観を呈することができる門扉を提供することにある。
【課題を解決するための手段】
【０００７】
上記課題を解決するため、本発明の門扉は、門扉の上横框の上端部及び下横框の下端部にそれぞれカバー材を取り付け、それらのカバー材を縦框の上下端部まで延長して、上横框の上端面、下横框の下端面及び縦框の上下端面を被覆したことことを特徴としている（請求項１）。
【０００８】
また、本発明は、カバー材が、これを横断面形状ほぼＵ字形に形成するとともに、両側の壁の内面に係止突条を形成し、その係止突条を門扉の上横框の下端面と下横框の下端面にそれぞれ設けてある係止突条と相互に係止させて、門扉の上、下端面に取付けられていることを特徴としている（請求項２）。
【０００９】
さらに、門扉の吊元側の縦框には、門扉幅方向先端の壁を底部とするあり溝が形成され、前記あり溝の上下端部に挿入されたキャップにより、前記カバー材の長手方向端面を遮蔽していることを特徴としている（請求項３）。
【００１０】
さらに、門扉の戸先側の縦框には、戸当り材が取付けられ、その縦框及び戸当り材の上下端面及びカバー材の長手方向端面が、前記縦框の上下端部に装着されたキャップにより被覆されていることを特徴としている（請求項４）。
【発明の効果】
【００１１】
請求項１の発明によれば、門扉の上横框の上端部及び下横框の下端部にそれぞれカバー材を取り付け、それらのカバー材を左右両縦框の門扉幅方向先端まで延長させて、上横框の上端面、下横框の下端面及び縦框の上下端面を被覆しているので、上、下横框の上、下端部に形成されている溝や、その溝に取付けられる取付部材及びその固着用ねじ、その取付部材に取付けられる軸受等が全てカバー材により隠蔽されるため、門扉の上下端部の外観が向上する。また、カバー材は左右両縦框の門扉幅方向先端まで延長しているので、縦框の上下端面を被覆するキャップが不要である。
【００１２】
請求項２の発明によれば、カバー材は、これを横断面形状ほぼＵ字形に形成するとともに、両側の壁の内面に係止突条を形成し、その係止突条を門扉の上横框の下端面と下横框の下端面にそれぞれ設けてある係止突条と相互に係止させて、門扉の上、下端面に取付けられるので、カバー材の門扉に対する取付が容易にできる。
【００１３】
請求項３の発明によれば、門扉の吊元側の縦框には、門扉幅方向先端の壁を底部とするあり溝が形成され、前記あり溝の上下端部に挿入されたキャップにより、前記カバー材の長手方向端面を遮蔽しているので、キャップを小型化することができ、従って、キャップの製造コストの低減が可能であり、また、キャップによりカバー材の長手方向端面が遮蔽されるので、門扉の外観体裁が向上する。
【００１４】
請求項４の発明によれば、門扉の戸先側の縦框には、戸当り材が取付けられ、その縦框及び戸当り材の上下端面及びカバー材の端面が、前記縦框の上下端部に装着されたキャップにより被覆されているので、門扉の戸先側の外観も向上する。
【発明を実施するための最良の形態】
【００１５】
次に、本発明の実施の形態について図面に基づいて説明する。
図１は本発明に係る門扉をピボットヒンジにより門柱に吊持した門の正面図、図２は門扉を門柱にピボットヒンジにより吊持する場合の基本的構造を概略的に示す要部の正面図、図３は図２における門扉の吊り元側下部の一部を破断して示す拡大図、図４は同じく底面図、図５は同じく側面図、図６は門扉の主として上下部分の構造を示す断面図、図７は軸受部材の展開図、図８は図２の門扉の吊り元側上部の一部を破断して示す拡大図、図９は同じく平面図、図１０は同じく側面図、図１１はカバー材、塞ぎ材及びキャップの相互関係を示す図であり、（ａ）は門扉の端部の平面図、（ｂ）は（ａ）のＷ−Ｗ線断面図、（ｃ）はキャップの正面図である。
図１２は図１の両開き門扉を左右に引き離して示した平面図、図１３は図１の両開き門扉の召し合わせ部の下部の拡大図、図１４は図１３のＹ−Ｙ線断面図、図１５はキャップの展開図である。
【００１６】
図１において、Ｐ１，Ｐ２，Ｐ３は門柱である。門柱Ｐ１とＰ２の間に両開き門扉である受け扉Ｄ１と掛け扉Ｄ２が周知技術を用いて内開き式（家側に開く）に取り付けられて、車両用門を構成している。門柱Ｐ２とＰ３の間に片開き門扉である袖門扉Ｄ３が周知技術を用いて内開き式（家側に開く）に取り付けられて、通用門を構成している。各扉Ｄ１，Ｄ２，Ｄ３は、従来と同様に、左右の縦框１０，１０´と上下の横框２１，２２）を矩形に連結してなる枠体を有するとともに、その枠体に格子１５を取り付けて構成されている。
【００１７】
図２は門扉Ｄを門柱ＰにピボットヒンジＨ１，Ｈ２により吊持する場合の基本的構造を概略的に示す。下側のピボットヒンジＨ１は、先端に軸受部１０１を有して、門柱Ｐに固着されているアーム１０２と、門扉Ｄの幅方向一端側の下部に門扉Ｄの下面から下方に突出させて取り付けられ、アーム１０２の軸受部１に挿入されるピボット軸１０３とから構成されている。また、上側のピボットヒンジＨ２は、先端に下向きに突出するピボット軸４を有して、門柱Ｐに固着されているアーム１０５と、門扉Ｄの幅方向一端側の上部に取り付けられ、アーム１０５のピボット軸１０４を挿入される軸受１０６とから構成されている。
【００１８】
図３は、図２の門扉Ｄのピボット軸１０３がオートクローザＯＣに結合されている場合の形態を示す。図３の門扉Ｄの吊り元側の縦框１０は、図４にも示すように、横断面形状が矩形で中空部１１を有し、幅方向両側にあり溝１２，１３を有する。門扉の下横框２１は、その長手方向端面を縦框１０の一方のあり溝１２の底壁１２’に当接した状態で、他方のあり溝１３の底壁１３’に設けた孔（図示省略）から鉄鋼製の補強裏板３１を貫通したねじｎ１を、下横框２１に形成してあるビスホール２１ｄ（図５参照）にねじ込むことにより、縦框１０に接続されている。
【００１９】
図８の門扉Ｄの上横框２２は、下横框２１の場合と同様に、長手方向端面を縦框１０の一方のあり溝１２の底壁１２’に当接した状態で、他方のあり溝１３の底壁１３’に設けた孔（図示省略）から補強裏板３１を貫通したねじｎ１を、下横框２１に形成してあるビスホール２１ｄ（図６参照）にねじ込むことにより、縦框１０に接続されている。
【００２０】
図３及び図８の３２，３３は同一形状に形成されている鉄鋼製の取付金具である。代表的に取付金具３２について説明すると、短辺３２ａと長辺３２ｂを有するＬ字形に形成されていて、長辺３２ｂの短辺３２ａに近い位置に短辺３２ａと平行な方向に貫通する孔３２ｃが形成されている。
【００２１】
そして、下側の取付金具３２は，短辺３２ａを縦框１０の門扉先端側のあり溝１３の底壁１３’の内面に当接し、ねじｎ２でその底壁１３’に固着し、長辺３２ｂを下横框２１の底壁２１’の中央部分に当接し、ねじｎ３をその底壁２１’にねじ込むことより、下横框２１に接続されている。上側の取付金具３３は、下側の取付金具３２と上下対称的に、短辺３３ａを縦框１０の門扉先端側のあり溝１３の底壁１３’の内面に当接し、ねじｎ２でその底壁１３’に固着し、長辺３３ｂを上横框２２の上壁２２’の中央部分に当接し、ねじｎ３をその上壁２２’にねじ込むことより、上横框２２に接続されている。
【００２２】
鉄鋼製のＬ字形の取付金具３２，３３を縦框１０の門扉先端側部分と上下の横框２１，２２の上下壁にそれぞれ接続してあるので、縦框と各横框との接続強度が飛躍的に増大されているとともに、各取付金具３２，３３も門扉Ｄに堅固に取り付けられている。
【００２３】
そして、下側の取付金具３２には、図３に示すように、水平状態にある長辺３２ｂに軸受部材４０が取り付けられている。軸受部材４０は、図７に示すように、ほぼ短冊状に形成され平板部４１と、その平板部の一端部の片面にその平板部に対して直角方向に突出させた状態で接合された軸受部４２とからなっている。平板部４１にはこれを取付金具３２又は３３にねじ止めするためのねじ貫通孔４１ａが千鳥足状に設けられ、平板部４１の一端部には、中心が軸受部４２の軸心と一致する孔４１ｂが形成されている。
【００２４】
軸受部材４０は、平板部４１を取付金具３２の底面に当接するとともに、軸受部４２を上向きに取付金具３２の孔３２ｃに貫通させた状態で、ねじ貫通孔４１ａからねじｎ４を取付金具３２にねじ込むことにより、固着されている。軸受部４２には、縦框１０内に設置されるオートクローザＯＣの下端部が連結され、そのオートクローザに設けてあるピボット軸１０３’が軸受部４２に軸支され、かつ、軸受部４２を下方に貫通するピボット軸１０３’は、門柱に取り付けてあるアーム２の軸受１に挿入されるように門扉Ｄの下面から下方に突出されている。
【００２５】
門扉ＤにオートクローザＯＣが設けられない場合は、軸受部材４０の軸受部４２には、軸受部材４０に固着されたピボット軸１０３（図２）がその下端部を門扉Ｄの下面から下方に突出させた状態で支持される。
【００２６】
上側の取付金具３３には、図７に示すように、水平状態にある長辺３３ｂに軸受部材４０Ｅが取り付けられている。軸受部材４０Ｅは、軸受部材４０と同様に平板部４１Ｅと軸受部４２Ｅとを有するものである。部品コスト低減と取付金具３３に対する取付が同一要領で行えるので、軸受部材４０と同一部材を用いることが好ましい。そして、軸受部材４０Ｅは、平板部４１Ｅを取付金具３３の長辺３３ｂの上面に当接するとともに、軸受部４２Ｅを下向きにして取付金具の孔３３ｃに貫通し、長辺に設けてあるねじ貫通用孔からねじｎ４を取付金具３３にねじ込むことにより、固着されている。
【００２７】
軸受部材４０Ｅの軸受部４２Ｅは、これに門柱Ｐの上側のピボットヒンジのピボット軸１０４（図２）を挿入するための軸受１０６に相当する。
【００２８】
上述のように、好ましい実施の形態においては、取付金具３２，３３及び軸受部材４０，４０Ｅに、それぞれ同一部材を用いている。それにより、部材製造コストの低減と、部品管理の簡素化と、門扉組み立ての簡略化が図られている。
【００２９】
本発明では、さらに、上述された取付金具３２，３３，軸受部材４０，４０Ｅ及び取付金具固着用ねじｎ２，ｎ３，ｎ４が門扉の外側面に露見されないように、これらを隠蔽する次のような構造及び部材が付加されている。  
門扉の下横框２１は、図５、図６に示すように、横断面形状が矩形の横框本体２１ａと、その横框本体２１ａの一端にその厚み方向両側に突出する突条２１ｂとを有し、各突条２１ｂの先端部付近において横框本体２１ａの他端と反対側に突出する断面片矢状の係止突条２１ｃが設けられている。そして、その係止突条２１ｃに、一例として断面ほぼＵ形のカバー材５０の幅方向両側の側壁の内面に形成してある係止突条５１を押し付けて、そのカバー材５０を下横框２１の底面に嵌着することができるようになっている。
【００３０】
カバー材５０は、門扉の左右の縦框１０の門扉幅方向両端側に存在するあり溝１３の底壁１３’間の距離と等しい長さを有している。しかし、カバー材５０の一端部には、ピボット軸３’又は３もしくはピボット軸４を貫通させるための孔５２が形成されている。
【００３１】
図７の門扉の上横框２２は、図９に示すように、図５の下横框２１と上下対称形である。すなわち、同一形状の部材を反転して用いてある。従って、下横框２１の各構成要素と同一の構成要素には２２に同一のアルファベットを付加した符号で示してある。そして、係止突条２２ｃに、カバー材５０と同一の部材を上下反転して用いるカバー材５０Ｅの幅方向両側の側壁の内面に形成してある係止突条５１Ｅを押し付けて、そのカバー材５０Ｅを上横框２２の上面に嵌着することができるようになっている。また、カバー材５０Ｅも、左右の縦框１０の門扉幅方向両端側に存在するあり溝１３の底壁１３’間の距離と等しい長さを有している。
【００３２】
従って、カバー材５０，５０Ｅを装着することにより、上記取付金具３２，３３，軸受部材４０，４０Ｅ及び取付金具固着用ねじｎ２，ｎ３，ｎ４のうち、取付金具３２，３３，軸受部材４０，４０Ｅ及び取付金具固着用ねじｎ３とｎ４は隠蔽される。
【００３３】
横框本体２１ａの正面と各縦框の正面との間、及び横框本体２１ａ，２２ａの背面と各縦框の背面との間にそれぞれ段差が生じる。この段差を利用して、上側の横框２２の突条２２ｂから下側の横框２１の突条２１ｂまで連続する格子１５を門扉に取り付けることを可能にしている。格子１５の長手方向両端部には、横框本体２１ａ，２２ａの断面形状と同一の形状を有する溝１５ａが形成されている。この溝は、格子１５の長手方向端面と材軸に直角な方向に開口されている。従って、両側の溝溝１５ａに上下の横框８０を嵌合することにより、格子を装着することができる。
【００３４】
次に、縦框１０の先端側のあり溝１３には、縦框の長さと等しい長さを有して、そのあり溝の開口面を塞ぐ塞ぎ材６０が取り付けられている。塞ぎ材６０は、図１１に示すように、横断面形状が皿状であり、両端部の脚部をあり溝１３の底壁１３’に当接し、屈曲部をあり溝１３の開口辺の内側に係合させて、あり溝１３から脱出しないように保持されている。
【００３５】
そして、図３，図８に示すように、あり溝１３の上下両端部には、キャップ７０が取り付けられている。キャップ７０は、図１１（ｃ）に示すように、側面形状がカバー材５０の端面形状と等しく、正面側の幅があり溝１３の深さとほぼ等しく、底面形状があり溝１３の横断面形状よりもやや大きい相似形に形成されていて、上下方向一端側にあり溝１３の深さよりも僅かに薄い差し込み部７１が突設されている。その差し込み部７１にはねじ孔７２が設けてある。
【００３６】
キャップ７０は、差し込み部７１を塞ぎ材６０が嵌合されているあり溝１３の上下両端部から塞ぎ材６０の中央部分とあり溝の底壁１３’との間に差し込み、塞ぎ材６０の外側から差し込み部７１のねじ孔７２にねじｎ５をねじ込むことにより、上下両側のキャップ７０と塞ぎ材６０とが結合され互いに門扉に保持されている。
【００３７】
これにより、塞ぎ材６０によって取付金具固着用ねじｎ２が隠蔽され、キャップ７０によりカバー５０の長手方向端面が遮蔽され、さらに、キャップ７０によりあり溝１３の上下端面が遮蔽されるとともに、カバー材５０の長手方向端部と塞ぎ材６０との長手方向端部とが、その間に切欠部が作らずに連続している。
【００３８】
従って、門扉Ｄの周辺には外観を損なう物が露見されないので、門扉は簡素で美麗な外観体裁を有するものとなる。
【００３９】
各扉の戸先側縦框１０´には、図２に代表的に扉Ｄ１，Ｄ２について示すように、その門扉幅方向先端側に戸当たり材８０が固着されている。そして、各戸先側縦框１０´の上、下端部には、その縦框の上、下端面及び戸当たり材８０の上、下端面を被覆するキャップＡ１１，Ａ１２が取り付けられている。
【００４０】
キャップＡ１１，Ａ１２は、戸先側縦框１０´の上、下端面の全部でなく、戸先側端部（門扉幅方向先端側部分）と戸当たり材の上、下端面を被覆することができる程度の小型のキャップである。１種類のキャップを、戸当たり材付きの戸先側縦框１０´と戸当たり材なしの吊り元側縦框１０の両方に取り付けることを可能にするため、次のような工夫をしてある。
【００４１】
すなわち、第１に、図１２及び図１４に示すように、縦框１０´は、横断面矩形状の基部１０ａの門扉幅方向先端側に横断面形状が先細の台形状に形成れた戸当たり部１０ｂを一体に備えた構成とされている。戸当たり部１０ｂは、それぞれ、側面には戸当り材取付部１０ｂ１を、正面又は背面には互いに他の門扉等に取り付けられた戸当り材と当接する戸当り材当接部１０ｂ２を有する。
【００４２】
一方、戸当たり材８０は横断面形状Ｌ字形に形成されており、その戸当たり材をＬ字の一辺において縦框１０´の戸当たり部１０ｂの戸当り材取付部１０ｂ１にねじｎ５などで固着するようにした。従って、戸先側縦框１０´には、その縦框に戸当たり材８０を取り付けたものとし、吊り元側縦框１０には、戸当たり材を取り付けない縦框のみを用いている。戸当たり材８０は、同一部材を反転して用いている。
【００４３】
第２に、キャップＡ（Ａ１１，Ａ１２）は、図５に示すように、縦框の戸当たり部１０ｂの台形状とほぼ同一形状を有する縦框被覆部１の先端部に、戸当たり材８０のＬ字形とほぼ同一形状を有する戸当たり材被覆部２を一体に接続してなっている。縦框被覆部１は水平一方向と上方又は下方に開口する溝３を有するドーム状に形成されている。縦框被覆部１と戸当たり材被覆部２との境界部分に、縦框被覆部１の溝の上下開口方向に延びる固着片４が設けられている。
【００４４】
そして、キャップＡが戸当たり材付き戸先側縦框１０´に使用される場合は、図５に示されたものが取り付けられるが、戸当たり材を有しない吊り元側縦框１０には、図５のものから戸当たり材被覆部２が切除された形のキャップ（図示省略）が取り付けられる。
【００４５】
また、図５の符号５は、図３及び図４に示すように、戸当たり材付き戸先側縦框１０´の下端部に取り付けられるキャップＡ’（Ａ２１，Ａ２２）の縦框被覆部１に設けられる落とし棒Ｒ１，Ｒ２を貫通させるための孔である（戸当たり材付き戸先側縦框１０´の上端部に取り付けられるキャップＡは、落とし棒貫通用の孔５を有しない。）。
【００４６】
上記キャップＡの縦框に対する取り付け方法を、図２の受け扉Ｄ１の戸先側縦框１０´の上端部に取り付ける場合を例に説明する。縦框被覆部１の溝３の中に縦框１０´のと当たり部１１ｂを嵌合するとともに、戸当たり材被覆部２を戸当たり材２１の上端部に載せて、キャップＡ１１により縦框１０´の戸当たり部１０ｂの上端面及び戸当たり材８０の上端面を被覆する。そして、戸当たり材８０を縦框１１に取り付けるねじｎをキャップＡ１１の固着片４までねじ込んで、キャップＡを固定する。
【００４７】
掛け扉Ｄ２の戸先側縦框１２の上端部にも、キャップＡ１２が同様の要領で取り付けられる。また、受け扉Ｄ１の戸先側縦框１１及び掛け扉Ｄ２の戸先側縦框１２の下端部には、上述した孔５を有するキャップＡ（Ａ２１，Ａ２２）が同様の要領で取り付けられる。さらに、各扉Ｄ１，Ｄ２の吊り元側縦框１０の上、下端部には戸当たり材被覆部２を有しないキャップ（図示省略）が同様の要領で取り付けられる。
【００４８】
キャップＡには、さらに、縦框被覆部１の溝３の内壁面に、固着片４から水平方向開口側に離れた位置において、溝幅が広くなるように段部６が形成されている。従って、縦框に取り付けられたキャップの縦框被覆部１の溝３の内壁面と、その縦框の表裏両面との間にわずかな隙間が形成される。また、溝３を形成する両側の壁の端部にも、溝幅が広くなるように段部７が形成されている。
【００４９】
図６に示すように、門扉Ｄ１の上下の横框２１，２２は、中空短冊状の横框本体２１ａ，２２ａの一端部にその横框本体の厚み方向両側に突出する突条２１ｂ，２２ｂが設けられている。各縦框１０，１０´の厚さ寸法は、外観統一のため、全て同一に設定されている。そして、本発明においては、横框本体２１ａ，２２ａの厚さ寸法は、それらの縦框の厚さよりも小さくされ、突条２１ｂ，２２ｂの幅寸法は各縦框の厚さ寸法と等しくされている。
【００５０】
そして、後述されるカバー材の幅方向両側部分を嵌着するための手段の一例として、突条２１ｂ，２２ｂの両端部付近における横框本体２１ａ，２２ａと反対側の位置に、片矢状の係止片２１ｃ，２２ｃが設けられている。上下の横框２１，２２は、同一部材を上下対称形に左右の縦框の間に配置され、長手方向両端部が補強板８を介して各縦框側からビスｂを横框本体２１ａ，２２ａに設けてあるビスホール２１ｄ，２２ｄにねじ込むことにより、横框本体２１ａ，２２ａを縦框の厚さ方向中央に位置させて接続されている。
【００５１】
従って、横框本体２１ａ，２２ａの正面と各縦框の正面との間、及び横框本体２１ａ，２２ａの背面と各縦框の背面との間にそれぞれ段差が生じる。この段差を利用して、上側の横框１４の突条２１ｂ，２２ｂから下側の横框１４’の突条２１ｂ，２２ｂまで連続する格子１５を門扉に取り付けることを可能にしている。格子１５の長手方向両端部には、横框本体２１ａ，２２ａの断面形状と同一の形状を有する溝１５ａが形成されている。この溝は、格子１５の長手方向端面と材軸に直角な方向に開口されている。従って、両側の溝１５ａに上下の横框２１，２２を嵌合することにより、格子を装着することができる。
【図面の簡単な説明】
【００５２】
【図１】本発明に係る門扉をピボットヒンジにより門柱に吊持した門の正面図。
【図２】門扉を門柱にピボットヒンジにより吊持する場合の基本的構造を概略的に示す正面図。
【図３】図２における門扉の右下部分の一部を破断して示す拡大図。
【図４】同じく底面図。
【図５】同じく側面図。
【図６】門扉の主として上下部分の構造を示す断面図。
【図７】軸受部材の展開図。
【図８】図２の門扉の右上部分の一部を破断して示す拡大図。
【図９】同じく平面図。
【図１０】同じく側面図。
【図１１】カバー材、塞ぎ材及びキャップの相互関係を示す図であり、（ａ）は門扉の端部の平面図、（ｂ）は（ａ）のＸ−Ｘ線断面図、（ｃ）はキャップの正面図。
【図１２】図１の両開き門扉を左右に引き離して示した平面図。
【図１３】図１の両開き門扉の召し合わせ部の下部の拡大図。
【図１４】図１３のＹ−Ｙ線断面図。
【図１５】キャップの展開図。
【符号の説明】
【００５３】
Ｐ１，Ｐ２，Ｐ３，Ｐ  門柱
Ｄ１，Ｄ２，Ｄ３，Ｄ  門扉
Ｈ１，Ｈ２            ピボットヒンジ
１０１，１０６        軸受
１０２，１０５        アーム
１０３，１０３´      ピボット軸
１０                  吊り元側縦框
１０´                戸先側縦框
２１                  下横框
２２                  上横框
３２，３３            取付金具
４０，４０Ｅ          軸受部材
５０，５０Ｅ          カバー材
６０                  塞ぎ材
７０                  キャップ
８０                  戸当り材
【図１】
2008184834.tif 000003
【図２】
2008184834.tif 000004
【図３】
2008184834.tif 000005
【図４】
2008184834.tif 000006
【図５】
2008184834.tif 000007
【図６】
2008184834.tif 000008
【図７】
2008184834.tif 000009
【図８】
2008184834.tif 000010
【図９】
2008184834.tif 000011
【図１０】
2008184834.tif 000012
【図１１】
2008184834.tif 000013
【図１２】
2008184834.tif 000014
【図１３】
2008184834.tif 000015
【図１４】
2008184834.tif 000016
【図１５】
2008184834.tif 000017